(57)【要約】【課題】機器にかかるコストを抑制した上で、受信位置が変化した場合の継続視聴のための選局にかかる処理時間を短縮する。【解決手段】制御部８は現在選局されている電波のＢＥＲ（ビットエラーレート）が基準を満たさない場合に、記憶部７に記憶されているチャンネルテーブルのうち選局中の電波に含まれる地域識別番号に対応する地域およびこの地域における選局中の放送局の系列局の物理チャンネルが管理されるテーブルを読出し、このテーブル中の何れかの物理チャンネルの選局制御を行なう。この選局した電波のＢＥＲが基準を満たしていればユーザは当初選局されていた放送局の系列局の放送を継続して視聴できることになる。よって、装置の搭載車両が移動しても、放送視聴を継続するための選局にかかる処理時間を大幅に短縮することができる。【選択図】      図１
2007235434.tif 000002
【特許請求の範囲】
【請求項１】
送信元地域の情報を含む放送電波を受信選局する受信選局手段と、
この受信選局手段により受信選局した電波の受信状態を検出する検出手段と、
予め区分された一地域における同一系列放送局の各送信周波数を含む地域放送局情報を前記区分された地域毎に記憶する記憶手段と、
前記受信選局手段により受信選局した電波に含まれる前記送信元地域の情報を取得する取得手段と、
前記検出手段により検出した受信状態が予め定められた基準を満たさない場合に、前記記憶手段に記憶されて前記取得手段により取得した情報で示される地域と対応する地域放送局情報における各送信周波数のうち前記検出手段により検出した受信状態が前記基準を満たす送信周波数の電波を選局する再選局手段と
を備えたことを特徴とする地上波ディジタル放送受信装置。
【請求項２】
前記受信選局手段は、
前記検出手段により検出した受信状態が前記基準を満たす送信周波数の電波を前記再選局手段が選局出来ない場合に予め定められた周波数帯における各送信周波数の電波をさらに選局し、
この選局した電波における前記検出手段が検出した受信状態が前記基準を満たす場合に、この選局した電波に含まれる前記送信元地域の情報を取得する再取得手段をさらに備え、
前記再選局手段は、
前記記憶手段に記憶されて前記再取得手段により取得した情報で示される地域と対応する地域放送局情報における各送信周波数の電波のうち前記検出手段により検出した受信状態が前記基準を満たす送信周波数の電波をさらに選局する
ことを特徴とする請求項１に記載の地上波ディジタル放送受信装置。
【請求項３】
前記再選局手段は、
前記記憶手段に記憶されて前記再取得手段により取得した情報で示される地域と対応する地域放送局情報における各送信周波数を予め定められた順序にしたがって選局し、この選局した電波の前記検出手段により検出した受信状態が前記基準を満たす場合に当該選局を終了する
ことを特徴とする請求項２に記載の地上波ディジタル放送受信装置。
【請求項４】
前記再選局手段は、
前記記憶手段に記憶されて前記再取得手段により取得した情報で示される地域と対応する地域放送局情報における送信周波数を全て選局し、これら選局した送信周波数の電波のうち前記検出手段により検出した受信状態が前記基準を満たし、かつ受信状態が最も良い送信周波数の電波を選局する
ことを特徴とする請求項２に記載の地上波ディジタル放送受信装置。
【請求項５】
送信元地域の情報を含む放送電波を受信選局する受信選局手段と、
この受信選局手段により受信選局した電波の受信状態を検出する検出手段と、
予め区分された一地域における同一系列放送局の各送信周波数を含む地域放送局情報を前記区分された地域毎に記憶する記憶手段と、
前記受信選局手段により受信選局した電波に含まれる前記送信元地域の情報を取得する取得手段と、
入力操作を受け付ける入力部と、
この入力部に対する予め定められた入力操作がなされた場合で前記検出手段により検出した受信状態が予め定められた基準を満たさない場合に、前記記憶手段に記憶されて前記取得手段により取得した情報で示される地域と対応する地域放送局情報における各送信周波数のうち前記検出手段により検出した受信状態が前記基準を満たす送信周波数の電波を選局する再選局手段と
を備えたことを特徴とする地上波ディジタル放送受信装置。
【発明の詳細な説明】
【技術分野】
【０００１】
本発明は、地上波ディジタル放送電波を受信する地上波ディジタル放送受信装置に関する。
【背景技術】
【０００２】
従来、地上波ディジタル放送電波を受信するディジタル放送受信装置が運用されている。この装置は映像情報、音声情報、データ放送用の情報などが多重化された放送電波を受信して、この放送電波に含まれる映像情報、音声情報およびデータ放送用の情報を再生する。
【０００３】
また、地上波ディジタル放送受信装置は例えばリモコンなどに備えられるチャンネル選択釦が押下された際の選局対象周波数を設定するための割当処理を行なう。各放送局からの放送電波には当該放送電波の送信周波数および割当番号の情報が含まれる。
【０００４】
割当処理として、地上波ディジタル放送受信装置はＵＨＦ帯の全域の各周波数を選局して放送視聴が可能な電波に含まれる当該電波の送信周波数および割当番号の情報を抽出し、これらの情報を関連付けて内部の記憶装置に記憶する。
【０００５】
この後、地上波ディジタル放送受信装置はユーザに押下されたチャンネル選択釦に割当られる割当番号と関連付けられる送信周波数の情報を前述した記憶装置から抽出し、この周波数の電波を選局する。
【０００６】
地上波ディジタル放送受信装置が車載式の装置であって車両が移動すると受信位置が変化するので受信可能な電波の周波数も変化する。この場合にはユーザが放送を継続視聴できるように前述した割当処理を再度行なう。
【０００７】
地上波ディジタル放送受信装置が割当処理のためにＵＨＦ帯の全域の選局を行なうには多大な時間を要する。この時間を短縮するために例えば特許文献１に開示されるような装置がある。この装置は、各地域に対応する放送局の送信周波数の情報を関連付けたテーブルを地域毎に分割して記憶装置に記憶しておき、ＧＰＳ（Global Positioning System）を用いて車両の現在位置を検出する。この装置は検出した現在位置が属する地域に対応するテーブルで示されるいずれかの送信周波数の電波の選局を行なう。
【特許文献１】特開２００５−８６３６７号公報
【発明の開示】
【発明が解決しようとする課題】
【０００８】
前述した装置を用いれば割当処理のための処理時間を短縮できるが車両の現在位置を検出するためにＧＰＳを用いているので、カーナビゲーション装置との連携が必要となる上、機器にかかるコストが高くなる。
【０００９】
そこで、本発明の目的は、機器にかかるコストを抑制した上で、受信位置が変化した場合の継続視聴のための選局にかかる処理時間を短縮することが可能になる地上波ディジタル放送受信装置を提供することにある。
【課題を解決するための手段】
【００１０】
すなわち、本発明に係わる地上波ディジタル放送受信装置は、送信元地域の情報を含む放送電波を受信選局し、この受信選局した電波の受信状態を検出し、予め区分された一地域における同一系列放送局の各送信周波数を含む地域放送局情報を区分された地域毎に記憶し、受信選局した電波に含まれる送信元地域の情報を取得し、検出した受信状態が予め定められた基準を満たさない場合に、取得済みの情報で示される地域と対応する地域放送局情報における各送信周波数のうち検出済みの受信状態が基準を満たす送信周波数の電波を選局することを特徴とする。
【発明の効果】
【００１１】
本発明に係わる地上波ディジタル放送受信装置では、機器にかかるコストを抑制した上で、受信位置が変化した場合の継続視聴のための選局にかかる処理時間を短縮することができる。
【発明を実施するための最良の形態】
【００１２】
以下図面により本発明の実施形態について説明する。  
（第１の実施形態）
まず、本発明の第１の実施形態について説明する。  
図１は、本発明の第１の実施形態にしたがった地上波ディジタル放送受信装置の構成例を示すブロック図である。  
図１に示した地上波ディジタル放送受信装置１は地上波ディジタル放送に対応した車載式受信装置であり、チューナ部３、ＯＦＤＭ（Orthogonal Frequency Division Multiplex：直交周波数分割多重変調）復調部４、多重分離部５、デコード部６、記憶部７、制御部８および入出力インタフェース９を備え、それぞれがバスライン１０を介して相互に接続される。
【００１３】
チューナ部３は地上波ディジタル放送電波をアンテナ２を介して受信および選局する。また、チューナ部３は選局した電波のビットエラーレート（ＢＥＲ）を検出し、この数値を示す信号を制御部８に出力する。ＯＦＤＭ復調部４はＯＦＤＭ方式により変調された信号を誤り訂正を経て元のディジタル信号のＴＳ（Transport Stream）に復調する。
【００１４】
多重分離部５は復調されたＴＳを選局チャンネルの音声データ、映像デ−タおよびデータ放送用データに分離する。多重分離部５は分離したデータ放送用データを制御部８に出力する。デコード部６は分離された音声デ−タをデコ−ド（復号）してスピーカ１１に出力する。また、デコード部６は分離された映像デ−タをデコ−ドして表示部１２に出力する。
【００１５】
記憶部７には制御用プログラムの他、後述する各種テーブルが記憶される。制御部８は装置全体の動作を司る。また、制御部８は分離されたデータ放送用データをデコードして必要時にデコード部６を介して表示部１２に出力する。また、入出力インタフェース９はリモコン１３からの赤外線信号を受信する。
【００１６】
図２は、本発明の第１の実施形態にしたがった地上波ディジタル放送受信装置１の操作を行なうためのリモコン１３の外観の一例を示す図である。  
このリモコン１３は発信部３１、電源キー３２、カーソルキー３３、「ｄ」キー（ｄボタン）３４、選局キー３５、数字キー３６、メニューキー３７、音量調節キー３８およびカラーキー３９を備える。
【００１７】
発信部３１は図１に示した入出力インタフェース９との赤外線通信を行なう。電源キー３２は装置の電源をオンオフする為のキーである。カーソルキー３３はスティック状のキーである。カーソルキー３３は上下（前後）左右に傾けることにより４方向のカーソル移動入力となり、スティック自体を押し込むことにより「決定」入力となる。
【００１８】
「ｄ」キー３４はデータ放送用の情報の表示のオンオフを設定するためのキーである。選局キー３５は選局を行なうためのアップダウンキーである。数字キー３６はマトリクス状に並んだキーである。数字キー３６は選局割当番号を入力するための釦としても機能する。メニューキー３７はメニュー画面を表示する為のキーである。音量調節キー３８は音量の調節を行なうためのアップダウンキーである。カラーキー３９は赤、黄、緑、青で色分けされた４つのキーである。
【００１９】
前述したデータ放送用データにはＰＳＩ／ＳＩ（Program Specific Information／Service Information）が含まれる。ＰＳＩ／ＳＩは物理チャンネルの情報および放送局名の情報を含む。物理チャンネルは送信電波の予め定められた放送用周波数帯に固有の識別情報である。ここでは物理チャンネルはＵＨＦ（Ultra High Frequency）帯の第１３チャンネルから第６２チャンネルまでの５０種類の周波数帯のいずれかの識別情報を指す。
【００２０】
また、ＰＳＩ／ＳＩはＮＩＴ（Network Information Table）を含む。ＮＩＴには地域識別番号、リモコンキーＩＤ（remote control key id）およびネットワークＩＤ（network id）などが記述される。地域識別番号はＰＳＩ／ＳＩの送信元の放送局の地域の識別情報である。
【００２１】
リモコンキーＩＤはリモコン１３の選局キー３５や数字キー３６の操作により入力される選局割当番号に対応する情報である。ネットワークＩＤは送信元の放送局の種別を示す情報である。放送局の親局からの電波に含まれるネットワークＩＤとこの放送局の事業者と同一事業者の放送局の中継局からの電波に含まれるネットワークＩＤは同じである。
【００２２】
図３は、本発明の第１の実施形態にしたがった地上波ディジタル放送受信装置１が抽出する地域識別番号および地域名の対応関係を表形式で示す図である。  
図３に示すように、地域識別番号は都道府県および予め定められた広域などの各地域に対応する番号である。
【００２３】
図４は、本発明の第１の実施形態にしたがった地上波ディジタル放送受信装置１の記憶部７に記憶されるチャンネルテーブルの一例（その１）を表形式で示す図である。  
図４に示したテーブルは図３に示した地域識別番号「３」およびフジテレビ系列のネットワークＩＤに対応するテーブルであり、当該地域識別番号「３」に対応する地域名である中京広域およびその近隣の地域名、これらの地域におけるフジテレビ系列の各放送局名、当該放送局の送信所、リモコンキーＩＤおよび物理チャンネルの情報が関連付けられて管理される。
【００２４】
図５は、本発明の第１の実施形態にしたがった地上波ディジタル放送受信装置１の記憶部７に記憶されるチャンネルテーブルの一例（その２）を表形式で示す図である。  
図５に示したテーブルは図３に示した地域識別番号「３５」およびフジテレビ系列のネットワークＩＤに対応するテーブルであり、当該地域識別番号「３５」に対応する地域名である静岡およびその近隣の地域名、これらの地域におけるフジテレビ系列の各放送局名、送信所、リモコンキーＩＤおよび物理チャンネルの情報が関連付けられて管理される。
【００２５】
記憶部７には図４および図５に示したチャンネルテーブルの他に、図３に示した各地域識別番号に対応するチャンネルテーブルが放送局の系列の種別ごとに記憶される。
【００２６】
次に、図１に示した構成の地上波ディジタル放送受信装置１の動作について説明する。  
まず、地上波ディジタル放送受信装置１の電源投入後、制御部８は初期スキャン処理を行なう。このスキャン処理はＵＨＦ帯の第１３チャンネルから第６２チャンネルまでの全周波数帯の電波をチューナ部３が順次受信選局してＰＳＩ／ＳＩの認識を試行し、この結果認識できたＰＳＩ／ＳＩを解析して、これに含まれる各種情報を抽出する処理である。
【００２７】
具体的には、まず制御部８はチューナ部３に対してＵＨＦ帯の第１３チャンネルの選局指示を行なう。するとチューナ部３は当該第１３チャンネルの電波の選局を行なう。チューナ部３が選局を行なうと制御部８はデコード部６からのＰＳＩ／ＳＩに含まれる物理チャンネル情報およびリモコンキーＩＤの抽出を試みる。
【００２８】
制御部８は電波の受信状態が悪いなどの理由で選局後の一定時間経過後もＰＳＩ／ＳＩ中の各種情報を抽出できない場合には、現在選局している物理チャンネルの番号の次の番号の物理チャンネルの選局指示を行なう。以下、同様の処理をＵＨＦ帯の第６２チャンネルまで繰り返す。  
制御部８は選局された電波から物理チャンネル情報およびリモコンキーＩＤが抽出できた場合にはこれらの情報を記憶部７内の割当テーブルに反映させる。
【００２９】
図６は本発明の第１の実施形態にしたがった地上波ディジタル放送受信装置１の記憶部に記憶される割当テーブルの構成例を表形式で示す図である。  
図６に示すように割当テーブルでは物理チャンネルの情報とリモコンキーＩＤが関連付けて管理される。
【００３０】
ユーザがリモコン１３の数字キー３６や選局キー３５を操作することで選局割当番号の入力がなされると、制御部８はこの選局割当番号と同じリモコンキーＩＤと関連付けられる物理チャンネルの情報を割当テーブルから読み出し、この物理チャンネルの選局をチューナ部３に指示する。
【００３１】
図７は、本発明の第１の実施形態にしたがった地上波ディジタル放送受信装置１を搭載した車両の移動経路の一例を示す図である。  
以下、図７に示すように地上波ディジタル放送受信装置１を搭載した車両が愛知県のＡ地点から同県のＢ地点、静岡県のＣ地点および同県のＤ地点を経由して東へ移動する場合の地上波ディジタル放送受信装置１の処理を説明する。図７に示した三角印は各地域の代表的な放送局の送信所の位置を示し、この三角印の周囲の曲線は当該送信所からの電波の大まかな送信範囲を示す。
【００３２】
図８および図９は、本発明の第１の実施形態にしたがった地上波ディジタル放送受信装置１の処理動作の一例を示すフローチャートである。  
ここでは、現在選局中のチャンネルは図４に示した物理チャンネルのうち放送局が「東海テレビ」で送信所が名古屋の第２１チャンネルであるとする。
【００３３】
まず、制御部８はチューナ部３からの信号で示されるＢＥＲの値を検出し、この値が記憶部７に記憶される予め定められた閾値を超えているか否かを判別する（ステップＳ１，Ｓ２）。制御部８はこの処理を予め定められた時間間隔により繰り返し行なう。
【００３４】
例えば図７に示すように車両がＢ地点に位置する場合には、前述した送信所が名古屋である「東海テレビ」が受信できなくなり、制御部８はチューナ部３からの信号で示されるＢＥＲが記憶部７に記憶される予め定められた閾値を超えていると判別する（ステップＳ２のＹＥＳ）。
【００３５】
すると、制御部８は現在選局中の電波に含まれるネットワークＩＤおよび地域識別番号を認識し、これらに対応するチャンネルテーブルを記憶部７から読み出す（ステップＳ３）。前述したように送信所が名古屋の「東海テレビ」の選局中である場合には、選局電波に含まれる地域識別番号は「３」で、ネットワークＩＤは「東海テレビ」を示すネットワークＩＤである。このネットワークＩＤはフジテレビ系列の放送局のネットワークＩＤであるので図４に示したテーブルが読み出し対象となる。
【００３６】
制御部８は、ステップＳ３の処理で読み出したチャンネルテーブル上の現在選局中の物理チャンネル以外のいずれかの物理チャンネルの選局指示を示す制御信号をチューナ部３に出力する。
【００３７】
ステップＳ３の処理で読み出されたチャンネルテーブルが図４に示したテーブルであった場合には、送信所が豊橋の「東海テレビ」の物理チャンネルである第１５チャンネルが選局指示の対象となる。
【００３８】
チューナ部３は制御部８からの信号の入力にともない選局を行なう（ステップＳ４）。そして制御部８は、チューナ部３からの信号で示されるＢＥＲが記憶部７に記憶される予め定められた閾値以下であるか否かを判別する（ステップＳ５）。
【００３９】
前述したように車両がＢ地点に位置する場合には制御部８はチューナ部３からの信号で示されるＢＥＲは記憶部７に記憶される予め定められた閾値以下であると判別する（ステップＳ５のＹＥＳ）。
【００４０】
すると、制御部８は新たに選局した電波に含まれる放送局名の情報を取得し、この放送局名がステップＳ３の処理で読み出されたチャンネルテーブル上の放送局名のいずれかと同じであるか否かを判別する（ステップＳ６）。
【００４１】
前述したように、送信所が名古屋の「東海テレビ」の物理チャンネルである第１５チャンネルが新たに選局された場合には、この放送局名はステップＳ３の処理で読み出された図４に示したチャンネルテーブル上に存在する（ステップＳ６のＹＥＳ）。この場合には当初選局されていた放送局の中継局または系列局が新たに選局されたことになるので、制御部８は新たに選局された電波に含まれる物理チャンネルの情報およびリモコンキーＩＤを図６に示した割当テーブルに反映する。よってユーザは同じ系列局からの放送を継続して視聴できる。
【００４２】
一方、制御部８は新たに選局した電波に含まれる放送局名がステップＳ３の処理で読み出されたチャンネルテーブル上の放送局名のいずれとも異なると判別した場合（ステップＳ６のＮＯ）には、別の系列の放送局からの電波を選局したとみなし、ステップＳ３の処理で読み出されたチャンネルテーブル上の選局済みの物理チャンネルを除くいずれかの物理チャンネルの選局指示を示す制御信号をチューナ部３に出力する（ステップＳ６→Ｓ４）。
【００４３】
また、制御部８はステップＳ５の処理で「ＮＯ」と判別した場合にはステップＳ３の処理で読み出されたチャンネルテーブル上の全ての物理チャンネルを選局したか否かを判別する（ステップＳ７）。
【００４４】
制御部８はステップＳ７の処理で「ＮＯ」と判別した場合にはステップＳ３の処理で読み出されたチャンネルテーブル上の選局済みの物理チャンネルを除くいずれかの物理チャンネルの選局指示を示す制御信号をチューナ部３に出力する（ステップＳ７→Ｓ４）。
【００４５】
車両が前述したようにＣ地点へ移動した場合には、制御部８はステップＳ７の処理で「ＹＥＳ」と判別する。Ｃ地点は静岡県の浜松に近い地点であるが周囲の障害物などの影響で図４に示したチャンネルテーブル上の「静岡テレビ」の電波を地上波ディジタル放送受信装置１が正常に受信できない地点であるとする。
【００４６】
この場合にはステップＳ３の処理で読み出されたチャンネルテーブル上の全ての放送局からの電波を正常に受信できない事を意味する。そして地上波ディジタル放送受信装置１は車両の現在地域の推定処理を開始する。
【００４７】
具体的には、制御部８はＵＨＦ帯の第１３チャンネルの中心周波数の選局指示を示す制御信号をチューナ部３に出力する（ステップＳ８）。チューナ部３は制御部８からの制御信号の入力に伴って第１３チャンネルを選局する（ステップＳ９）。
【００４８】
そして制御部８はチューナ部３からの信号で示されるＢＥＲが記憶部７に記憶される予め定められた閾値以下であるか否かを判別する（ステップＳ１０）。  
制御部８はステップＳ１０の処理で「ＮＯ」と判別した場合には受信不良であるとみなし、チューナ部３に出力した制御信号で示される選局対象の周波数がＵＨＦ帯の第６２チャンネルの中心周波数であるか否かを判別する（ステップＳ１１）。
【００４９】
制御部８はステップＳ１１の処理で「ＹＥＳ」と判別した場合には、ＵＨＦ帯の全物理チャンネルの電波が受信できないとみなし、受信不可を示すメッセージを表示部１２に表示させる（ステップＳ１２）。一方、制御部８はステップＳ１１の処理で「ＮＯ」と判別した場合には、現在選局した物理チャンネル番号の次の番号の物理チャンネルの中心周波数の選局指示を示す制御信号をチューナ部３に出力する（ステップＳ１１→Ｓ１３）。以降はステップＳ９以降の処理に移行する。
【００５０】
また、制御部８はチューナ部３からの信号で示されるＢＥＲが記憶部７に記憶される予め定められた閾値以下である場合（ステップＳ１０のＹＥＳ）には、受信良好であるとみなし、新たに選局された電波に含まれる放送局情報を取得し、この放送局がステップＳ３の処理で読み出されたチャンネルテーブル上の何れかの放送局と同じであるか否かを判別する（ステップＳ１４）。
【００５１】
制御部８がステップＳ１４の処理で「ＹＥＳ」と判別した場合には当初選局されていた放送局の中継局または系列局が新たに選局されたことになるので、制御部８は新たに選局された電波に含まれる物理チャンネルの情報およびリモコンキーＩＤを図６に示した割当テーブルに反映する。よってユーザは同じ系列局からの放送を継続して視聴できる。
【００５２】
一方、制御部８はステップＳ１４の処理で「ＮＯ」と判別した場合には、受信済みの電波に含まれる地域識別番号を取得する（ステップＳ１５）。制御部８はこの取得した地域識別番号に対応するチャンネルテーブルが記憶部７に記憶されているか否かを判別する（ステップＳ１６，Ｓ１７）。
【００５３】
制御部８はステップＳ１７の処理で「ＮＯ」と判別した場合には、当初視聴していた放送局中継局や系列局からの電波が受信できない、または当初視聴していたチャンネルが地域限定の県域放送局であるとみなし、受信不可を示すメッセージを表示部１２に表示させる（ステップＳ１８）。
【００５４】
一方、制御部８はステップＳ１７の処理で「ＹＥＳ」と判別した場合には、このチャンネルテーブルを読み出し、この読み出したチャンネルテーブル上のいずれかの物理チャンネルの選局指示を示す制御信号をチューナ部３に出力する。
【００５５】
例えばステップＳ９の処理で選局された物理チャンネルのうち受信良好であった物理チャンネルの放送局の送信所がＮＨＫ総合の静岡の送信所である場合にはこの選局された電波に含まれる地域識別番号は静岡を示す「３５」である。この場合には、制御部８はステップＳ３の処理で読み出されたチャンネルテーブルに対応するネットワークＩＤと同じネットワークＩＤおよびステップＳ１５の処理で取得した地域識別番号に対応するチャンネルテーブル（図５参照）を読み出す。
【００５６】
チューナ部３は制御部８からの信号の入力にともない選局を行なう（ステップＳ１９）。そして、制御部８は、チューナ部３からの信号で示されるＢＥＲが記憶部７に記憶される予め定められた閾値以下であるか否かを判別する（ステップＳ２０）。
【００５７】
車両が前述したＤ地点へ移動しており、ステップＳ１９の処理で選局された物理チャンネルが図５に示したチャンネルテーブル上の送信局が静岡である「静岡テレビ」の第１７チャンネルであった場合には、制御部８はステップＳ２０の処理で「ＹＥＳ」と判別する。
【００５８】
すると、制御部８はステップＳ１９の処理で選局された電波に含まれる放送局情報を取得し、この放送局が新たに読み出されたチャンネルテーブル上の何れかの放送局と同じであるか否かを判別する（ステップＳ２１）。
【００５９】
制御部８がステップＳ２１の処理で「ＹＥＳ」と判別した場合には当初選局されていた放送局の系列局が新たに選局されたことになるので、制御部８は新たに選局された電波に含まれる物理チャンネルの情報およびリモコンキーＩＤを図６に示した割当テーブルに反映する。よってユーザは同じ系列局からの放送を継続して視聴できる。
【００６０】
また、制御部８はステップＳ２０の処理で「ＮＯ」と判別した場合には新たに読み出されたチャンネルテーブル上の全ての物理チャンネルが選局されたか否かを判別する（ステップＳ２２）。
【００６１】
制御部８はこのステップＳ２２の処理で「ＮＯ」と判別した場合には新たに読み出されたチャンネルテーブル上の選局済みの物理チャンネルを除くいずれかの物理チャンネルの選局指示を示す制御信号をチューナ部３に出力する（ステップＳ２２→Ｓ１９）。
【００６２】
一方、制御部８は、ステップＳ２２の処理で「ＹＥＳ」と判別した場合には、ユーザが視聴していた放送局の系列局からの電波が受信できないとみなし、受信不可を示すメッセージを表示部１２に表示させる（ステップＳ２３）。
【００６３】
以上のように、本発明の第１の実施形態にしたがった地上波ディジタル放送受信装置では、この装置を搭載した車両が移動して視聴していた放送が受信できなくなった場合にＵＨＦ帯の地上波ディジタル放送の全ての物理チャンネルの選局を行なう代わりに、ＵＨＦ帯の地上波ディジタル放送のいずれかの受信可能な電波に含まれる地域識別番号をもとに車両の現在地域を推定し、この推定した地域におけるユーザが視聴していた放送局の中継局や系列局に対応するチャンネルテーブル上の各物理チャンネルを選局することでユーザが視聴していた放送局の中継局や系列局を新たに選局するので、ユーザが番組視聴を継続するための選局処理にかかる時間を大幅に短縮することができる。
【００６４】
この地上波ディジタル放送受信装置１は車両の現在位置の推定のためにＵＨＦ帯の各物理チャンネルを順次選局し、最初の受信可能な電波に含まれる地域識別番号を取得する。この地域識別番号と対応する地域は車両の現在地域と完全に一致するとは限らないが、車両の現在地域およびその近隣の地域のいずれかである事は明らかである。
【００６５】
例えば、愛知県内で選局された電波に含まれる地域識別番号が静岡を示す番号であったとしても、静岡に対応する図５に示したチャンネルテーブルは静岡県の近隣県である愛知県のチャンネル情報も含んだ構成としてあるので、実際の車両の位置が愛知県であっても静岡県であっても当初からユーザが視聴していた放送局の中継局や系列局のうち受信可能な物理チャンネルが当該テーブルに含まれる可能性は高い。  
したがって、この地上波ディジタル放送受信装置１はＧＰＳを用いることなく車両の位置を認識できるので機器にかかるコストを抑制することができる。
【００６６】
また、制御部８は前述した初期スキャン処理を行なった際に受信良好であった電波に含まれる地域識別番号、放送局名、リモコンキーＩＤおよび物理チャンネルの組み合せの情報が、当該電波に含まれるネットワークＩＤに対応する放送局系列および地域識別番号に対応するチャンネルテーブルに含まれていない場合には、このテーブル上に前述した組み合せの情報を反映させても良い。
【００６７】
また、この地上波ディジタル放送受信装置１は前述したステップＳ１，Ｓ２の処理として現在選局中の電波のＢＥＲの値を予め定められた時間間隔により検出して、この値が閾値を超えた場合にステップＳ３以降の処理を行なうと説明したが、これに限らず例えば表示部１２への画像の映り具合により受信状態が悪くなったと判断したユーザによるリモコン１３上の現在選局中の放送局と関わるリモコンキーＩＤと対応する数字キー３６や他のキーの押下にしたがって電波のＢＥＲの値を検出し、この値が閾値を超えた場合にステップＳ３以降の処理を行なうようにしてもよい。
【００６８】
また、表示部１２がタッチパネルである場合には、制御部８が例えば「１」から「１２」までの数字に対応するアイコンを表示部１２に表示させた上で、このアイコンをリモコン１３上の数字キー３６の代わりにユーザにタッチさせるようにしてもよい。
【００６９】
（第２の実施形態）
次に、本発明の第２の実施形態について説明する。なお、以下の各実施形態に係る地上波ディジタル放送受信装置１の構成は図１に示したものと基本的にほぼ同様であるので同一部分の説明は省略する。
【００７０】
図１０および図１１は、本発明の第２の実施形態にしたがった地上波ディジタル放送受信装置１の処理動作の一例を示すフローチャートである。  
この地上波ディジタル放送受信装置１は前述した前述したステップＳ１からＳ２０までの処理を行なう。そして制御部８はステップＳ２０の処理で「ＹＥＳ」と判別した場合には、新たに選局された電波に含まれる放送局情報を取得し、この放送局が新たに読み出されたチャンネルテーブル上の何れかの放送局と同じであるか否かを判別する（ステップＳ２１）。
【００７１】
制御部８はステップＳ２１の処理で「ＹＥＳ」と判別した場合には、新たに読み出されたチャンネルテーブル上の全ての物理チャンネルを選局したか否かを判別する（ステップＳ３１）。
【００７２】
制御部８はステップＳ３１の処理で「ＮＯ」と判別した場合にはチューナ部３からの信号で示されるＢＥＲを検出し、このＢＥＲの値を現在選局されている物理チャンネルの情報と関連付けて物理チャンネルごとに記憶部７に一時的に記憶する（ステップＳ３２）。
【００７３】
そして、制御部８は前述したように新たに読み出されたチャンネルテーブル上の選局済みの物理チャンネルを除くいずれかの物理チャンネルの選局指示を示す制御信号をチューナ部３に出力する（ステップＳ３２→Ｓ１９）。
【００７４】
一方、制御部８はステップＳ３１の処理で「ＹＥＳ」と判別した場合には、ステップＳ３２の処理により記憶部７に記憶された物理チャンネルのうち、これと関連付けられるＢＥＲの値が他の物理チャンネルの情報と関連付けられるＢＥＲの値と比較して最も高い物理チャンネルを識別し、この物理チャンネルの選局指示を示す制御信号をチューナ部３に出力する。チューナ部３は制御部８からの信号の入力にともない選局を行なう（ステップＳ３３）。
【００７５】
したがって、本発明の第２の実施形態にしたがった地上波ディジタル放送受信装置では、第１の実施形態にしたがった地上波ディジタル放送受信装置と比較してより良い受信状態によりユーザによる放送の継続視聴を実現できる。
【００７６】
（第３の実施形態）
次に、本発明の第３の実施形態について説明する。図１２および図１３は、本発明の第２の実施形態にしたがった地上波ディジタル放送受信装置１の処理動作の一例を示すフローチャートである。
【００７７】
この地上波ディジタル放送受信装置１は前述した前述したステップＳ１からＳ１７までの処理を行なう。そして、制御部８はステップＳ１７の処理で「ＹＥＳ」と判別した場合には、ステップＳ３の処理で読み出したチャンネルテーブル中の未選局物理チャンネルの延べ数とＵＨＦ帯の５０種類の物理チャンネルのうち未選局である物理チャンネルの数とを比較し、チャンネルテーブル中の未選局物理チャンネルの延べ数がＵＨＦ帯の５０種類の物理チャンネルのうちの未選局物理チャンネルの数以下であるか否かを判別する（ステップＳ４１）。
【００７８】
制御部８はステップＳ４１の処理で「ＹＥＳ」と判別した場合には、チャンネルテーブル上のいずれかの物理チャンネルの選局指示を示す制御信号をチューナ部３に出力し、前述したステップＳ１９以降の処理に移行する。
【００７９】
一方、制御部８はステップＳ４１の処理で「ＮＯ」と判別した場合、つまりチャンネルテーブル中の未選局物理チャンネルの延べ数がＵＨＦ帯の５０種類の物理チャンネルのうちの未選局物理チャンネルの数を超える場合には、ＵＨＦ帯の５０種類の物理チャンネルにおける未選局物理チャンネルのうち最も小さい番号の物理チャンネルの選局指示を示す制御信号をチューナ部３に出力する。チューナ部３は制御部８からの信号の入力にともない選局を行なう（ステップＳ４２）。
【００８０】
そして、制御部８はチューナ部３からの信号で示されるＢＥＲを検出する（ステップＳ４３）。制御部８はステップＳ４２の処理で選局された物理チャンネルがＵＨＦ帯の第６２チャンネルであるか否かを判別する（ステップＳ４４）。
【００８１】
制御部８はステップＳ４４の処理で「ＮＯ」と判別した場合には、現在選局中の物理チャンネルの番号の次の番号の物理チャンネルの選局指示を示す制御信号をチューナ部３に出力し（ステップＳ４５）、ステップＳ４２の処理に戻る。
【００８２】
一方、制御部８はステップＳ４４の処理で「ＹＥＳ」と判別した場合には、新たに選局された電波に含まれる放送局情報を取得し、この放送局が新たに読み出されたチャンネルテーブル上の何れかの放送局と同じであるか否かを判別し、同じであればステップＳ４３の処理で検出したＢＥＲが記憶部７に記憶される予め定められた閾値以下であるか否かを判別する（ステップＳ４６）。
【００８３】
制御部８はステップＳ４６の処理で「ＮＯ」と判別した場合には、当初選局されていた放送局の中継局や系列局からの電波を受信できないとみなし、受信不可を示すメッセージを表示部１２に表示させる（ステップＳ４７）。
【００８４】
制御部８がステップＳ４６の処理で「ＹＥＳ」と判別した場合には、当初選局されていた放送局の系列局が新たに選局されたことになるので、制御部８は新たに選局された電波に含まれる物理チャンネルの情報およびリモコンキーＩＤを図６に示した割当テーブルに反映する。よってユーザは同じ系列局からの放送を継続して視聴できる。
【００８５】
以上説明した各実施形態にしたがった地上波ディジタル放送受信装置１はユーザによる放送の継続視聴を実現するために選局していた放送局の中継局や系列局を自動的に選局するものである。当初選局されていた放送局の親局の放送番組と新たに選局された系列局の放送番組は同じであるとは限らないが、地上波ディジタル放送受信装置１は選局電波に含まれるＥＩＴ(Event Information Table)に番組の名称、放送日時、内容の説明など、番組に関する情報を読み出すことで選局していた放送局の親局と系列局の放送番組は同じであるか否かを判別することができる。よって、地上波ディジタル放送受信装置は当初選局した放送局の親局の番組と新たに選局した系列局の番組が同じである場合のみに、映像や音声の出力を行なう制御を行なっても良い。
【００８６】
なお、この発明は前記実施形態そのままに限定されるものではなく実施段階ではその要旨を逸脱しない範囲で構成要素を変形して具体化できる。また、前記実施形態に開示される複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８７】
【図１】本発明の第１の実施形態にしたがった地上波ディジタル放送受信装置の構成例を示すブロック図。
【図２】本発明の第１の実施形態にしたがった地上波ディジタル放送受信装置の操作を行なうためのリモコンの外観の一例を示す図。
【図３】本発明の第１の実施形態にしたがった地上波ディジタル放送受信装置が抽出する地域識別番号および地域名の対応関係を表形式で示す図。
【図４】本発明の第１の実施形態にしたがった地上波ディジタル放送受信装置の記憶部７に記憶されるチャンネルテーブルの一例（その１）を表形式で示す図。
【図５】本発明の第１の実施形態にしたがった地上波ディジタル放送受信装置の記憶部７に記憶されるチャンネルテーブルの一例（その２）を表形式で示す図。
【図６】本発明の第１の実施形態にしたがった地上波ディジタル放送受信装置の記憶部に記憶される割当テーブルの構成例を表形式で示す図。
【図７】本発明の第１の実施形態にしたがった地上波ディジタル放送受信装置を搭載した車両の移動経路一例を示す図。
【図８】本発明の第１の実施形態にしたがった地上波ディジタル放送受信装置の処理動作の一例（その１）を示すフローチャート。
【図９】本発明の第１の実施形態にしたがった地上波ディジタル放送受信装置の処理動作の一例（その２）を示すフローチャート。
【図１０】本発明の第２の実施形態にしたがった地上波ディジタル放送受信装置の処理動作の一例（その１）を示すフローチャート。
【図１１】本発明の第２の実施形態にしたがった地上波ディジタル放送受信装置の処理動作の一例（その２）を示すフローチャート。
【図１２】本発明の第３の実施形態にしたがった地上波ディジタル放送受信装置の処理動作の一例（その１）を示すフローチャート。
【図１３】本発明の第３の実施形態にしたがった地上波ディジタル放送受信装置の処理動作の一例（その２）を示すフローチャート。
【符号の説明】
【００８８】
１…地上波ディジタル放送受信装置、２…アンテナ、３…チューナ部、４…ＯＦＤＭ復調部、５…多重分離部、６…デコード部、７…記憶部、８…制御部、９…入出力インタフェース、１０…バスライン、１１…スピーカ、１２…表示部、１３…リモコン、３１…発信部、３２…電源キー、３３…カーソルキー、３４…「ｄ」キー（ｄボタン）、３５…選局キー、３６…数字キー、３７…メニューキー、３８…音量調節キー、３９…カラーキー。
【図１】
2007235434.tif 000003
【図２】
2007235434.tif 000004
【図３】
2007235434.tif 000005
【図４】
2007235434.tif 000006
【図５】
2007235434.tif 000007
【図６】
2007235434.tif 000008
【図７】
2007235434.tif 000009
【図８】
2007235434.tif 000010
【図９】
2007235434.tif 000011
【図１０】
2007235434.tif 000012
【図１１】
2007235434.tif 000013
【図１２】
2007235434.tif 000014
【図１３】
2007235434.tif 000015